(57)【要約】【課題】無線通信装置が他の無線通信装置に関する機器情報を効率的に表示することが可能な無線通信装置、無線通信方法、プログラム、および無線通信システムを提供する。【解決手段】無線通信部１２０Ａと、無線通信部１２０Ａによる周囲の無線機器１０Ｂの検出処理、検出処理において検出された無線機器１０Ｂとの接続処理、および、接続処理において接続が確立された無線機器１０Ｂとの通信を制御する通信制御部１４０Ａと、検出処理において無線機器１０Ｂから受信された機器情報を表示する表示部１７０と、を備える、無線機器１０Ａが提供される。【選択図】図５
2012175452.tif 000002
【特許請求の範囲】
【請求項１】
無線通信部と、
前記無線通信部による周囲の無線通信装置の検出処理、前記検出処理において検出された前記周囲の無線通信装置との接続処理、および、前記接続処理において接続が確立された前記周囲の無線通信装置との通信を制御する通信制御部と、
前記検出処理において前記周囲の無線通信装置から受信された機器情報を表示する表示部と、
を備える、無線通信装置。
【請求項２】
前記表示部は、
前記周囲の無線通信装置が複数存在する場合、前記機器情報ごとに送信元の前記周囲の無線通信装置を表示する、
請求項１に記載の無線通信装置。
【請求項３】
前記機器情報は、Ｗｉ−Ｆｉダイレクトで規定されるＳｅｒｖｉｃｅ＿Ｄｉｓｃｏｖｅｒｙ手順におけるＳｅｒｖｉｃｅ＿Ｄｉｓｃｏｖｅｒｙ＿Ｒｅｓｐｏｎｓｅの拡張フィールドを用いて受信される、
請求項１または２に記載の無線通信装置。
【請求項４】
前記機器情報は、
ＤＬＮＡデバイスの性能、および対応可能なコンテンツデータの種類のうちの少なくともいずれか１つである、
請求項１から３のいずれか１項に記載の無線通信装置。
【請求項５】
周囲の無線通信装置の検出処理を制御するステップと、
前記検出処理において前記周囲の無線通信装置から受信された機器情報を表示するステップと、
前記検出処理において検出された前記周囲の無線通信装置との接続処理を制御するステップと、
前記接続処理において接続が確立された前記周囲の無線通信装置との通信を制御するステップと、
を含む、無線通信方法。
【請求項６】
コンピュータを、
無線通信部と、
前記無線通信部による周囲の無線通信装置の検出処理、前記検出処理において検出された前記周囲の無線通信装置との接続処理、および、前記接続処理において接続が確立された前記周囲の無線通信装置との通信を制御する通信制御部と、
前記検出処理において前記周囲の無線通信装置から受信された機器情報を表示する表示部と、
を備える、無線通信装置として機能させるための、プログラム。
【請求項７】
第１の無線通信装置を備えるとともに、
無線通信部と、
前記無線通信部による前記第１の無線通信装置の検出処理、前記検出処理において検出された前記第１の無線通信装置との接続処理、および、前記接続処理において接続が確立された前記第１の無線通信装置との通信を制御する通信制御部と、
前記検出処理において前記第１の無線通信装置から受信された機器情報を表示する表示部と、
を有する、第２の無線通信装置、
を備える、無線通信システム。
【発明の詳細な説明】
【技術分野】
【０００１】
本発明は、無線通信装置、無線通信方法、プログラム、および無線通信システムに関する。
【背景技術】
【０００２】
近日、ユーザによるコンテンツデータの利用の自由度を向上するために、複数のユーザ機器でコンテンツデータを共有することが行われている。例えば、家庭用レコーダなどの据え置き式のユーザ機器に録画されたコンテンツデータを、携帯電話や携帯型ゲーム機などのモバイル式のユーザ機器に送信することにより、ユーザは自宅外でも録画されたコンテンツデータを楽しむことが可能となる。
【０００３】
一方、Ｗｉ−Ｆｉ  Ａｌｌｉａｎｃｅで策定されたＷｉ−Ｆｉダイレクトでは、複数の無線機器が親機（Ｇｒｏｕｐ  Ｏｗｎｅｒ）または子機（Ｃｌｉｅｎｔ）のいずれとしての役割を担うかを決定して通信グループを形成することが提案されている。ここで、親機は簡易的なアクセスポイントとして動作し、１または２以上の子機を接続する機能を有する。なお、このようなＷｉ−Ｆｉダイレクトに従う無線通信システムについては例えば特許文献１に記載されている。
【先行技術文献】
【特許文献】
【０００４】
【特許文献１】特開２０１０−２４５９７５号公報
【発明の概要】
【発明が解決しようとする課題】
【０００５】
上記のような無線通信システムにおいては、無線通信装置が他の無線通信装置に関する機器情報を取得して表示するための処理や消費電力を軽減することが望まれる。
【０００６】
そこで、本発明は、上記問題に鑑みてなされたものであり、本発明の目的とするところは、無線通信装置が他の無線通信装置に関する機器情報を効率的に表示することが可能な、新規かつ改良された無線通信装置、無線通信方法、プログラム、および無線通信システムを提供することにある。
【課題を解決するための手段】
【０００７】
上記課題を解決するために、本発明のある観点によれば、無線通信部と、前記無線通信部による周囲の無線通信装置の検出処理、前記検出処理において検出された前記周囲の無線通信装置との接続処理、および、前記接続処理において接続が確立された前記周囲の無線通信装置との通信を制御する通信制御部と、前記検出処理において前記周囲の無線通信装置から受信された機器情報を表示する表示部と、を備える、無線通信装置が提供される。
【０００８】
前記表示部は、前記周囲の無線通信装置が複数存在する場合、前記機器情報ごとに送信元の前記周囲の無線通信装置を表示することとしてもよい。
【０００９】
前記機器情報は、Ｗｉ−Ｆｉダイレクトで規定されるＳｅｒｖｉｃｅ＿Ｄｉｓｃｏｖｅｒｙ手順におけるＳｅｒｖｉｃｅ＿Ｄｉｓｃｏｖｅｒｙ＿Ｒｅｓｐｏｎｓｅの拡張フィールドを用いて受信されることとしてもよい。
【００１０】
前記機器情報は、ＤＬＮＡデバイスの性能、および対応可能なコンテンツデータの種類のうちの少なくともいずれか１つであることとしてもよい。
【００１１】
また、上記課題を解決するために、本発明の別の観点によれば、周囲の無線通信装置の検出処理を制御するステップと、前記検出処理において前記周囲の無線通信装置から受信された機器情報を表示するステップと、前記検出処理において検出された前記周囲の無線通信装置との接続処理を制御するステップと、前記接続処理において接続が確立された前記周囲の無線通信装置との通信を制御するステップと、を含む、無線通信方法が提供される。
【００１２】
また、上記課題を解決するために、本発明の別の観点によれば、コンピュータを、無線通信部と、前記無線通信部による周囲の無線通信装置の検出処理、前記検出処理において検出された前記周囲の無線通信装置との接続処理、および、前記接続処理において接続が確立された前記周囲の無線通信装置との通信を制御する通信制御部と、前記検出処理において前記周囲の無線通信装置から受信された機器情報を表示する表示部と、を備える、無線通信装置として機能させるための、プログラムが提供される。
【００１３】
また、上記課題を解決するために、本発明の別の観点によれば、第１の無線通信装置を備えるとともに、無線通信部と、前記無線通信部による前記第１の無線通信装置の検出処理、前記検出処理において検出された前記第１の無線通信装置との接続処理、および、前記接続処理において接続が確立された前記第１の無線通信装置との通信を制御する通信制御部と、前記検出処理において前記第１の無線通信装置から受信された機器情報を表示する表示部と、を有する、第２の無線通信装置、を備える、無線通信システムが提供される。
【発明の効果】
【００１４】
以上説明したように本発明によれば、無線通信装置が他の無線通信装置に関する機器情報を効率的に表示することが可能となる。
【図面の簡単な説明】
【００１５】
【図１】本発明の実施形態による無線通信システムの構成を示した説明図である。
【図２】第１の比較例による機器情報の表示手順を示した説明図である。
【図３】第２の比較例による機器情報の表示手順を示した説明図である。
【図４】無線機器のハードウェア構成を示したブロック図である。
【図５】本発明の実施形態による無線機器の構成を示した機能ブロック図である。
【図６】Ｓｅｒｖｉｃｅ＿Ｄｉｓｃｏｖｅｒｙ＿Ｑｕｅｒｙフレームの構成例を示した説明図である。
【図７】Ｓｅｒｖｉｃｅ＿Ｄｉｓｃｏｖｅｒｙ＿Ｒｅｓｐｏｎｓｅフレームの構成例を示した説明図である。
【図８】本発明の実施形態による無線機器の全体動作を示したシーケンス図である。
【図９】本発明の実施形態による無線通信システムの構成例を示した説明図である。
【図１０】複数の無線機器の各々に関する機器情報の例を示した説明図である。
【図１１】無線機器検出時に実行される処理の流れの例を示すシーケンス図である。
【図１２】無線機器検出時に実行される処理の流れの例を示すシーケンス図である。
【図１３】無線機器検出時に実行される処理の流れの例を示すシーケンス図である。
【図１４】無線機器検出時に実行される処理の流れの例を示すシーケンス図である。
【図１５】機器情報の表示例を示す図である。
【図１６】機器情報の表示例を示す図である。
【図１７】機器情報の表示例を示す図である。
【図１８】機器情報の表示例を示す図である。
【発明を実施するための形態】
【００１６】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１７】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１８】
また、以下に示す項目順序に従って当該「発明を実施するための形態」を説明する。
１．無線通信システムの構成
２．無線機器のハードウェア構成
３．実施形態の説明
（無線機器の構成）
（動作例）
（無線機器検出の段階における処理）
（機器情報の表示例）
４．むすび
【００１９】
＜１．無線通信システムの構成＞
本実施形態による無線通信装置（１０Ａ）は、
Ａ．無線通信部（１２０）と、
Ｂ．無線通信部による周囲の無線通信装置の検出処理、検出処理において検出された周囲の無線通信装置との接続処理、および、接続処理において接続が確立された周囲の無線通信装置との通信を制御する通信制御部（１４０）と、
Ｃ．検出処理において周囲の無線通信装置から受信された機器情報を表示する表示部（１７０）と、
を備える。
【００２０】
図１は、本発明の実施形態による無線通信システム１の構成を示した説明図である。図１に示したように、本発明の実施形態による無線通信システム１は、無線機器１０Ａおよび１０Ｂを備える。
【００２１】
無線機器１０Ｂは、図１に示したように例えば据え置き式の家庭用レコーダであり、取得したコンテンツデータを記憶する。無線機器１０Ｂは、例えば、ＢＳ（Ｂｒｏａｄｃａｓｔ  Ｓａｔｅｌｌｉｔｅ）放送、ＣＳ（ｃｏｍｍｕｎｉｃａｔｉｏｎｓ  ｓａｔｅｌｌｉｔｅ）放送、地上波デジタル放送、地上波アナログ放送、ケーブル放送などのテレビジョン方法を受信することにより、コンテンツデータとしてテレビジョン番組を取得してもよい。
【００２２】
なお、コンテンツデータはテレビジョン番組に限定されない。例えば、コンテンツデータは、音楽、講演およびラジオ番組などの音声データや、映画、ビデオプログラム、写真、文書、絵画および図表などの映像データや、ゲームおよびソフトウェアなどであってもよい。
【００２３】
また、無線機器１０Ｂは、無線機器１０Ａと無線通信することができる。具体的には、無線機器１０Ｂは、Ｗｉ−Ｆｉ  Ａｌｌｉａｎｃｅで策定されたＷｉ−Ｆｉダイレクトに従って無線機器１０Ａと通信グループを形成し、通信グループを形成した無線機器１０Ａとアクセスポイントを介さずに無線通信することができる。なお、無線機器１０Ａおよび無線機器１０Ｂは、同じアクセスポイント（ＡＰ）に接続されている場合であっても、例えばＩＥＥＥ８０２．１１ｚ（ＴＤＬＳ）等を使用する直接通信を行ってもよい。
【００２４】
無線機器１０Ａは、図１に示したようにモバイル式のゲーム機であり、記憶しているコンテンツデータを再生する。例えば、無線機器１０Ａは、無線機器１０Ｂと無線通信することにより、無線機器１０Ｂに記憶されたコンテンツデータを共有することができる。これにより、ユーザは無線機器１０Ｂにより取得されたコンテンツデータを自宅外でも楽しむことが可能となる。
【００２５】
なお、図１においては無線機器１０Ａの一例としてゲーム機を示し、無線機器１０Ｂの一例として家庭用レコーダを示しているが、無線機器１０はこれらの例に限定されない。例えば、無線機器１０は、ＰＣ（Ｐｅｒｓｏｎａｌ  Ｃｏｍｐｕｔｅｒ）、家庭用ゲーム機器、家電機器、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、などの情報処理装置であってもよい。
【００２６】
また、無線機器１０Ａは、無線機器１０Ｂから機器情報を取得し、無線機器１０Ｂから取得した機器情報を表示する機能も有している。しかし、機器情報の表示に関してはいくつかの問題がある。以下、図２および図３を参照し、これらの問題について簡単に説明する。
【００２７】
まず、無線機器１０Ａのようなモバイル機器では電源が限られているので、無線機器１０Ａが無線機器１０Ｂから機器情報を取得するために無線機器１０Ａおよび１０Ｂを常時接続しておくことは現実的でない。このため、第１の比較例では、ユーザ操作に応じて図２に示す手順に従い機器情報を通信する。
【００２８】
図２は、第１の比較例による機器情報の表示手順を示した説明図である。図２に示したように、第１の比較例による無線機器＃１および＃２は、まず互いの存在を検出し（Ｓ１１）、無線ネットワークを設定し（Ｓ１２）、ＩＰネットワークを設定する（Ｓ１３）。その後、無線機器＃１は、無線機器♯２と通信することにより無線機器♯２から機器情報を取得し（Ｓ１４）、取得した機器情報を表示する（Ｓ１５）。
【００２９】
このように、第１の比較例では、機器情報を表示するためにＩＰネットワークの設定および無線ネットワークの設定が必要である。しかし、機器情報を表示するためであれば、無線機器＃１が実際に無線機器＃２にアクセスする必要がない場合もあり得る。この第１の比較例では、そのような場合であってもＩＰネットワークの設定および無線ネットワークの設定を行うため、ユーザにとって快適な利用環境を提供することが困難であった。
【００３０】
図３は、第２の比較例による機器情報の表示手順を示した説明図である。この第２の比較例による判断手順はＷｉ−Ｆｉダイレクトに準拠しており、第２の比較例による無線機器＃１および＃２は、無線機器検出の段階でＳｅｒｖｉｃｅ  Ｄｉｓｃｏｖｅｒｙと呼ばれる手順により無線ネットワーク構築のための情報以外の情報を通信できる（Ｓ２１）。
【００３１】
しかし、無線ネットワーク構築のための情報以外の情報として仕様上で規定されているのは、各無線機器１０が提供できるサービス（ＵＰｎＰデバイスの種類またはＵＰｎＰサービスの種類、ＤＬＮＡデバイスの種類など）である。このため、Ｗｉ−Ｆｉダイレクトに準拠する第２の比較例であっても、機器情報のうちの、例えば、ＤＬＮＡ（Ｄｉｇｉｔａｌ  Ｌｉｖｉｎｇ  Ｎｅｔｗｏｒｋ  Ａｌｌｉａｎｃｅ）デバイスの性能、対応可能なコンテンツデータの種類などは、無線ネットワーク設定（Ｓ２２）、およびＩＰネットワーク設定（Ｓ２３）の後に取得され（Ｓ２４）、表示される（Ｓ２５）。したがって、第２の比較例でも、第１の比較例と同様に、本来不要である無線ネットワークやＩＰネットワークの設定が行われてしまうという問題がある。
【００３２】
そこで、上記事情を一着眼点にして本発明の実施形態を創作するに至った。本発明の実施形態によれば、無線ネットワークやＩＰネットワークの設定前に機器情報を表示できるので、無線機器１０が他の無線機器１０に関する機器情報を効率的に表示することが可能となる。以下、このような無線機器１０のハードウェア構成例を説明した後に、本発明による実施形態を詳細に説明する。
【００３３】
＜２．無線機器のハードウェア構成＞
図４は、無線機器１０のハードウェア構成を示したブロック図である。無線機器１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ホストバス１０４と、を備える。また、無線機器１０は、ブリッジ１０５と、外部バス１０６と、インタフェース１０７と、入力装置１０８と、出力装置１１０と、ストレージ装置（ＨＤＤ）１１１と、ドライブ１１２と、通信装置１１３とを備える。
【００３４】
ＣＰＵ１０１は、演算処理装置および制御装置として機能し、各種プログラムに従って無線機器１０内の動作全般を制御する。また、ＣＰＵ１０１は、マイクロプロセッサであってもよい。ＲＯＭ１０２は、ＣＰＵ１０１が使用するプログラムや演算パラメータ等を記憶する。ＲＡＭ１０３は、ＣＰＵ１０１の実行において使用するプログラムや、その実行において適宜変化するパラメータ等を一時記憶する。これらはＣＰＵバスなどから構成されるホストバス１０４により相互に接続されている。
【００３５】
ホストバス１０４は、ブリッジ１０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１０６に接続されている。なお、必ずしもホストバス１０４、ブリッジ１０５および外部バス１０６を分離構成する必要はなく、一のバスにこれらの機能を実装してもよい。
【００３６】
入力装置１０８は、マウス、キーボード、タッチパネル、ボタン、マイクロフォン、スイッチおよびレバーなどユーザが情報を入力するための入力手段と、ユーザによる入力に基づいて入力信号を生成し、ＣＰＵ１０１に出力する入力制御回路などから構成されている。無線機器１０のユーザは、該入力装置１０８を操作することにより、無線機器１０に対して各種のデータを入力したり処理動作を指示したりすることができる。
【００３７】
出力装置１１０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置１１０は、スピーカおよびヘッドホンなどの音声出力装置を含む。出力装置１１０は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００３８】
ストレージ装置１１１は、本実施形態にかかる無線機器１０の記憶部の一例として構成されたデータ格納用の装置である。ストレージ装置１１１は、記憶媒体、記憶媒体にデータを記録する記録装置、記憶媒体からデータを読み出す読出し装置および記憶媒体に記録されたデータを削除する削除装置などを含んでもよい。ストレージ装置１１１は、例えば、ＨＤＤ（Ｈａｒｄ  Ｄｉｓｋ  Ｄｒｉｖｅ）で構成される。このストレージ装置１１１は、ハードディスクを駆動し、ＣＰＵ１０１が実行するプログラムや各種データを格納する。
【００３９】
ドライブ１１２は、記憶媒体用リーダライタであり、無線機器１０に内蔵、あるいは外付けされる。ドライブ１１２は、装着されている磁気ディスク、光ディスク、光磁気ディスク、または半導体メモリ等のリムーバブル記憶媒体２００に記録されている情報を読み出して、ＲＡＭ１０３に出力する。また、ドライブ１１２は、リムーバブル記憶媒体２００に情報を書き込むこともできる。
【００４０】
通信装置１１３は、例えば、周囲の無線機器１０に接続するための通信デバイス等で構成された通信インタフェースである。また、通信装置１１３は、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。
【００４１】
＜３．実施形態の説明＞
以上、本発明の実施形態による無線機器１０のハードウェア構成を説明した。続いて、図５〜図１８を参照し、本発明による実施形態を詳細に説明する。
【００４２】
（無線機器の構成）
図５は、本発明の実施形態による無線機器１０Ａおよび１０Ｂの構成を示した機能ブロック図である。図５に示したように、実施形態による無線機器１０Ａは、無線通信部１２０Ａ、記憶部１３０Ａ、通信制御部１４０Ａ、操作部１６０、および表示部１７０を有する。同様に、無線機器１０Ｂは、無線通信部１２０Ｂ、記憶部１３０Ｂ、および通信制御部１４０Ｂを有する。
【００４３】
無線機器１０Ａの無線通信部１２０Ａは、通信制御部１４０Ａによる制御に従い、周囲の無線機器１０Ｂを検出するための通信、検出した無線機器１０Ｂとの無線接続を確立するための通信、および無線機器１０Ｂとの機器情報の通信などを行う。
【００４４】
具体的には、無線通信部１２０Ａは、周囲の無線機器１０Ｂを検出するための無線機器検出処理において、例えばプローブリクエストと呼ばれる応答要求信号、およびプローブレスポンスと呼ばれる応答信号を送受信する。
【００４５】
例えば、無線通信部１２０Ａがプローブリクエストの送信側である場合、無線通信部１２０Ａは、当該プローブリクエストに応答するプローブレスポンスを周囲の無線機器１０Ｂから受信することにより、無線機器１０Ｂの存在を検出できる。一方、無線通信部１２０Ａは、周囲の無線機器１０Ｂからプローブリクエストを受信した場合、この受信により無線機器１０Ｂの存在を検出すると共に、当該プローブリクエストに応答するプローブレスポンスを送信することにより、無線機器１０Ｂも無線機器１０Ａの存在を検出することが可能となる。
【００４６】
また、無線通信部１２０Ａは、無線機器検出処理において、機器情報を例えばＷｉ−Ｆｉダイレクトで規定されるＳｅｒｖｉｃｅ＿Ｄｉｓｃｏｖｅｒｙ手順を用いて無線機器１０Ｂと通信する。
【００４７】
Ｓｅｒｖｉｃｅ＿Ｄｉｓｃｏｖｅｒｙ手順においては、一方の無線機器がＳｅｒｖｉｃｅ＿Ｄｉｓｃｏｖｅｒｙ＿Ｑｕｅｒｙと呼ばれるサービス問い合わせ信号を送信し、他方の無線機器がＳｅｒｖｉｃｅ＿Ｄｉｓｃｏｖｅｒｙ＿Ｒｅｓｐｏｎｓｅと呼ばれるサービス応答信号で応答する。ここで、図６および図７を参照し、Ｓｅｒｖｉｃｅ＿Ｄｉｓｃｏｖｅｒｙ＿Ｑｕｅｒｙフレーム、およびＳｅｒｖｉｃｅ＿Ｄｉｓｃｏｖｅｒｙ＿Ｒｅｓｐｏｎｓｅフレームの構成例を説明する。
【００４８】
図６は、Ｓｅｒｖｉｃｅ＿Ｄｉｓｃｏｖｅｒｙ＿Ｑｕｅｒｙフレームの構成例を示した説明図である。図６に示したように、Ｓｅｒｖｉｃｅ＿Ｄｉｓｃｏｖｅｒｙ＿Ｑｕｅｒｙフレームは、処理の信号パターンを有するプリアンブル、送信元や宛先などのアドレス情報を含むＭＡＣヘッダ、他の無線機器１０に対する要求フレームとして定義されるＧＡＳ（Ｇｅｎｅｒｉｃ  Ａｄｖｅｒｔｉｓｅｍｅｎｔ  Ｓｅｒｖｉｃｅｓ）＿Ｉｎｉｔｉａｌ＿Ｒｅｑｕｅｓｔ＿Ｆｒａｍｅ、および、フレーム内の誤りを検出するためのＦＣＳ（Ｆｒａｍｅ  Ｃｈｅｃｋ  Ｓｅｑｕｅｎｃｅ）を含む。また、ＧＡＳ＿Ｉｎｉｔｉａｌ＿Ｒｅｑｕｅｓｔ＿Ｆｒａｍｅは、ＧＡＳヘッダおよびＡＮＱＰ（Ａｃｃｅｓｓ＿Ｎｅｔｗｏｒｋ＿Ｑｕｅｒｙ＿Ｐｒｏｔｏｃｏｌ）＿Ｑｕｅｒｙ＿Ｒｅｑｕｅｓｔを含む。
【００４９】
ここで、本発明の実施形態によるＡＮＱＰ＿Ｑｕｅｒｙ＿Ｒｅｑｕｅｓｔは、詳細については後述するが、検索対象とする無線機器１０Ｂの機器情報を含んでもよい。例えば、ＡＮＱＰ＿Ｑｕｅｒｙ＿Ｒｅｑｕｅｓｔに含まれるサービスタイプまたはペイロードには、Ｓｅｒｖｉｃｅ＿Ｄｉｓｃｏｖｅｒｙ＿Ｑｕｅｒｙフレームの検索対象とする無線機器１０の機器情報が記載されてもよい。ＡＮＱＰ＿Ｑｕｅｒｙ＿Ｒｅｑｕｅｓｔは、拡張フィールドに相当する。特に、ＤＬＮＡデバイスの性能、対応可能なコンテンツデータの種類については、Ｂｏｎｊｏｕｒ、ＵＰｎＰ、ＷＳ−Ｄｉｓｃｏｖｅｒｙなどにおいて現在定義されていない。そこで、例えば、ペイロードに設定される値として、ＤＬＮＡデバイスの性能、対応可能なコンテンツデータの種類を示す値を独自に定義する手法が想定される。その場合には、例えば、ペイロードに設定される値を独自に定義するための所定の値をサービスタイプに設定すればよい。また、ＤＬＮＡデバイスの性能、対応可能なコンテンツデータの種類などを示すサービス自体を独自に定義してもよい。その場合には、サービスタイプに設定される値を独自に定義すればよい。
【００５０】
図７は、Ｓｅｒｖｉｃｅ＿Ｄｉｓｃｏｖｅｒｙ＿Ｒｅｓｐｏｎｓｅフレームの構成例を示した説明図である。図７に示したように、Ｓｅｒｖｉｃｅ＿Ｄｉｓｃｏｖｅｒｙ＿Ｒｅｓｐｏｎｓｅフレームは、処理の信号パターンを有するプリアンブル、送信元や宛先などのアドレス情報を含むＭＡＣヘッダ、他の無線機器１０からの要求に対する返信フレームとして定義されるＧＡＳ＿Ｉｎｉｔｉａｌ＿Ｒｅｓｐｏｎｓｅ＿Ｆｒａｍｅ、および、フレーム内の誤りを検出するためのＦＣＳを含む。また、ＧＡＳ＿Ｉｎｉｔｉａｌ＿Ｒｅｓｐｏｎｓｅ＿Ｆｒａｍｅは、ＧＡＳヘッダおよびＡＮＱＰ（Ａｃｃｅｓｓ＿Ｎｅｔｗｏｒｋ＿Ｑｕｅｒｙ＿Ｐｒｏｔｏｃｏｌ）＿Ｑｕｅｒｙ＿Ｒｅｓｐｏｎｓｅを含む。
【００５１】
ここで、本発明の実施形態によるＡＮＱＰ＿Ｑｕｅｒｙ＿Ｒｅｓｐｏｎｓｅは、無線機器１０Ａまたは無線機器１０Ｂの一方の有する機器情報を含んでもよい。例えば、ＡＮＱＰ＿Ｑｕｅｒｙ＿Ｒｅｓｐｏｎｓｅに含まれるサービスタイプまたはペイロードには、Ｓｅｒｖｉｃｅ＿Ｄｉｓｃｏｖｅｒｙ＿Ｒｅｓｐｏｎｓｅフレームの送信元の無線機器１０に関する機器情報が記載される。ＡＮＱＰ＿Ｑｕｅｒｙ＿Ｒｅｓｐｏｎｓｅは、拡張フィールドに相当する。Ｓｅｒｖｉｃｅ＿Ｄｉｓｃｏｖｅｒｙ＿Ｒｅｓｐｏｎｓｅフレームを使用する場合においても、ＡＮＱＰ＿Ｑｕｅｒｙ＿Ｒｅｑｕｅｓｔフレームと同様な手法により、ＤＬＮＡデバイスの性能、対応可能なコンテンツデータの種類を示す値を独自に定義することが可能である。
【００５２】
ここで図５を参照して無線機器１０Ａの構成の説明に戻ると、無線機器１０Ａの記憶部１３０Ａは、無線機器１０Ｂに関する機器情報を、当該無線機器１０Ｂの識別情報である機器識別情報と対応付けて記憶する。無線機器１０Ｂに関する機器情報としては、例えば、ＤＬＮＡデバイスの性能、対応可能なコンテンツデータの種類などが挙げられ、無線機器１０Ｂに関する機器情報は、これらのうちの少なくともいずれか１つであってもよい。
【００５３】
なお、このような当該機器識別情報および機器情報を記憶する記憶部１３０Ａは、不揮発性メモリ、磁気ディスク、光ディスク、およびＭＯ（Ｍａｇｎｅｔｏ  Ｏｐｔｉｃａｌ）ディスクなどの記憶媒体であってもよい。不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００５４】
通信制御部１４０Ａは、無線通信部１２０Ａによる無線機器検出処理、無線接続を確立するための接続処理、および機器情報の通信などを制御する。通信制御部１４０Ａは、無線機器検出処理において、機器情報の通信を制御（開始）する。機器情報の通信方法などについては、図面を参照しながら詳細に後述する。
【００５５】
機器情報の通信により、通信制御部１４０Ａは、無線機器１０Ｂに関する機器情報を無線機器１０Ｂから直接取得してもよいし、無線機器１０Ｂからは無線機器１０Ｂに関する機器情報を識別するための情報を取得し、取得した情報に基づいて、無線機器１０Ｂ以外の機器から無線機器１０Ｂに関する機器情報を取得してもよい。無線機器１０Ｂに関する機器情報を識別するための情報は、無線機器１０Ｂに関する機器情報の所在を示すＵＲＬであってもよい。
【００５６】
表示部１７０は、無線通信部１２０Ａによる機器情報の通信により取得された機器情報を表示することができる。上記したように、表示部１７０は、例えば、無線機器１０Ｂの識別情報である機器識別情報と対応付けられて記憶されている機器情報を、無線機器１０Ｂの無線通信部１２０Ｂから取得された機器情報として表示することができる。機器情報の表示方法などについても、図面を参照しながら詳細に後述する。
【００５７】
操作部１６０は、無線機器１０Ａのユーザからの操作を受け付ける機能を有しており、主に、表示部１７０により表示される画面を生成するための操作を受け付けることができる。例えば、通信制御部１４０Ａは、操作部１６０により受け付けられた操作に基づいて画面を生成し、生成した画面を表示部１７０に表示させることも可能である。操作部１６０は、表示部１７０により表示される画面を更新するための操作を受け付けることもできる。この場合には、例えば、通信制御部１４０Ａは、操作部１６０により受け付けられた操作に基づいて画面を更新し、更新した画面を表示部１７０に表示させることも可能である。
【００５８】
無線機器１０Ｂの無線通信部１２０Ｂは、無線機器１０Ａの無線通信部１２０Ａと同様に、通信制御部１４０Ｂによる制御に従い、周囲の無線機器１０Ａを検出するための通信、検出した無線機器１０Ａとの無線接続を確立するための通信、および無線機器１０Ａとの機器情報の通信などを行う。また、無線通信部１２０Ｂは、無線機器検出処理において、機器情報を例えばＷｉ−Ｆｉダイレクトで規定される上述したＳｅｒｖｉｃｅ＿Ｄｉｓｃｏｖｅｒｙ手順を用いて通信する。このＳｅｒｖｉｃｅ＿Ｄｉｓｃｏｖｅｒｙ手順により、無線機器１０Ｂの通信制御部１４０Ｂが、無線機器１０Ａとの接続確立前に機器情報を通信することが可能となる。
【００５９】
無線機器１０Ｂの記憶部１３０Ｂは、無線機器１０Ｂに関する機器情報を記憶している。なお、無線機器１０Ｂも無線機器１０Ａが有する操作部１６０、表示部１７０などと同様の機能を有する構成を備えることとしてもよい。
【００６０】
通信制御部１４０Ｂは、無線通信部１２０Ｂによる無線機器検出処理、無線接続を確立するための接続処理、および機器情報の通信などを制御する。通信制御部１４０Ｂは、無線機器検出処理において、上記の機器情報の通信を制御（開始）する。かかる構成により、機器情報を通信する際に、無線機器１０Ａおよび１０Ｂが不要に接続されてしまうことを防止できる。
【００６１】
上記したように、通信制御部１４０Ｂは、例えば、無線機器検出処理において、Ｓｅｒｖｉｃｅ＿Ｄｉｓｃｏｖｅｒｙ＿Ｒｅｓｐｏｎｓｅフレームにより機器情報を無線機器１０Ａに送信するように制御（開始）することができる。そのとき、通信制御部１４０Ｂは、所定の条件を満たすか否かを判断し、満たす場合には、Ｓｅｒｖｉｃｅ＿Ｄｉｓｃｏｖｅｒｙ＿Ｒｅｓｐｏｎｓｅフレームにより機器情報を無線機器１０Ａに送信するように制御（開始）し、満たさない場合には、Ｓｅｒｖｉｃｅ＿Ｄｉｓｃｏｖｅｒｙ＿Ｒｅｓｐｏｎｓｅフレームにより機器情報を無線機器１０Ａに送信しないように制御してもよい。
【００６２】
例えば、通信制御部１４０Ｂは、無線機器１０Ａから送信されたＳｅｒｖｉｃｅ＿Ｄｉｓｃｏｖｅｒｙ＿Ｑｕｅｒｙフレームに、検索対象とする無線機器１０Ｂの機器情報が設定されている場合には、設定されている機器情報と無線機器１０Ｂに関する機器情報とが合致するか否かを判断し、合致する場合には、Ｓｅｒｖｉｃｅ＿Ｄｉｓｃｏｖｅｒｙ＿Ｒｅｓｐｏｎｓｅフレームを無線機器１０Ａに送信するように制御（開始）し、合致しない場合には、Ｓｅｒｖｉｃｅ＿Ｄｉｓｃｏｖｅｒｙ＿Ｒｅｓｐｏｎｓｅフレームを無線機器１０Ａに送信しないように制御してもよい。
【００６３】
（動作例）
以上、本発明の実施形態による無線機器１０の構成を説明した。続いて、図８を参照し、本発明の実施形態による無線機器１０の動作例を説明する。
【００６４】
図８は、本発明の実施形態による無線機器１０の全体動作を示したシーケンス図である。図８に示したように、実施形態による無線機器１０Ａおよび１０Ｂは、無線機器検出を行い（Ｓ１１０）、無線ネットワークの設定前、およびＩＰネットワークの設定前に、無線機器１０Ａは、無線機器１０Ｂに関する機器情報を取得し、取得した機器情報を表示する（Ｓ１２０）。
【００６５】
ここで特筆すべき点は、無線機器１０Ａが、無線機器検出の段階で無線機器１０Ｂに関する機器情報を取得し、取得した機器情報を表示することである。以下、このような無線機器検出の段階における処理をより具体的に説明する。
【００６６】
（無線機器検出の段階における処理）
以上、本発明の実施形態による無線機器１０の動作例を説明した。続いて、図９〜１４を参照し、無線機器検出の段階における処理の詳細について説明する。
【００６７】
図９は、本発明の実施形態による無線通信システム１の構成例を示した説明図である。図９に示したように、本発明の実施形態による無線通信システム１の一例としての無線通信システム１Ａは、無線機器１０Ａを備えると共に、無線機器１０Ｂの例としての無線機器１０Ｂ１〜１０Ｂ５を備える。なお、図９には、説明の都合上、無線機器１０Ｂの例が無線機器１０Ｂ１〜１０Ｂ５の５台示されているが、無線機器１０Ｂの数は特に限定されるものではない。
【００６８】
図１０は、図９に示した無線機器１０Ｂ１〜１０Ｂ５の各々に関する機器情報の例を示した説明図である。図１０において、「ＵＰｎＰ  Ｄｅｖｉｃｅ  Ｔｙｐｅ」または「ＵＰｎＰ  Ｓｅｒｖｉｃｅ  Ｔｙｐｅ」は、例えば、上記したＵＰｎＰデバイスの種類またはＵＰｎＰサービスの種類に相当するものである。「ＤＬＮＡ  Ｄｅｖｉｃｅ  Ｃｌａｓｓ」は、例えば、上記したＤＬＮＡデバイスの種類に相当するものである。「ＤＬＮＡ  Ｄｅｖｉｃｅ  Ｃａｐａｂｉｌｉｔｙ」は、例えば、上記したＤＬＮＡデバイスの性能に相当するものである。「ＤＬＮＡ  Ｍｅｄｉａ  Ｃｌａｓｓ」は、上記した対応可能なコンテンツデータの種類に相当するものである。
【００６９】
なお、図１０に示した「ＤＬＮＡ  Ｄｅｖｉｃｅ  Ｃａｐａｂｉｌｉｔｙ」に「＋ＵＰ＋」が設定されている無線機器１０Ｂは、当該無線機器１０Ｂに対してコンテンツデータをアップロードすることが可能である旨を示しており、「ＤＬＮＡ  Ｄｅｖｉｃｅ  Ｃａｐａｂｉｌｉｔｙ」に「＋ＤＮ＋」が設定されている無線機器１０Ｂは、当該無線機器１０Ｂからコンテンツデータをダウンロードすることが可能である旨を示している。
【００７０】
図１１〜図１４は、図１０に示した機器情報を有する無線機器１０Ｂ１〜１０Ｂ５を無線機器検出する場合に実行される処理の流れの例を示すシーケンス図である。図１１に示すように、まず、無線機器１０Ａは、「Ｓｅａｒｃｈ  ａｌｌ  ｓｅｒｖｉｃｅ」を無線機器１０Ｂ１〜１０Ｂ５の各々に対して行う。この「Ｓｅａｒｃｈ  ａｌｌ  ｓｅｒｖｉｃｅ」は、上記した例では、Ｓｅｒｖｉｃｅ＿Ｄｉｓｃｏｖｅｒｙ＿Ｑｕｅｒｙフレームの送信により行われる。
【００７１】
無線機器１０Ａにより「Ｓｅａｒｃｈ  ａｌｌ  ｓｅｒｖｉｃｅ」が行われると、無線機器１０Ｂ１〜１０Ｂ５の各々は、機器情報を無線機器１０Ａに返信する。図１１には、無線機器１０Ｂ１〜１０Ｂ５の各々が、機器情報としてＵＰｎＰデバイスの種類またはＵＰｎＰサービスの種類を無線機器１０Ａに返信する例が示されている。例えば、無線機器１０Ｂ１〜１０Ｂ５の各々は、図１０に示すように設定されている「ＵＰｎＰ  Ｄｅｖｉｃｅ  Ｔｙｐｅ」または「ＵＰｎＰ  Ｓｅｒｖｉｃｅ  Ｔｙｐｅ」を無線機器１０Ａに返信する。機器情報の返信は、上記した例では、Ｓｅｒｖｉｃｅ＿Ｄｉｓｃｏｖｅｒｙ＿Ｒｅｓｐｏｎｓｅフレームの送信により行われる。
【００７２】
図１２には、無線機器１０Ｂ１〜１０Ｂ５の各々が、ＵＰｎＰデバイスの種類またはＵＰｎＰサービスの種類、ＤＬＮＡデバイスの種類、ＤＬＮＡデバイスの性能、および対応可能なコンテンツデータの種類を無線機器１０Ａに返信する例が示されている。例えば、無線機器１０Ｂ１〜１０Ｂ５の各々は、図１０に示すように設定されている「ＵＰｎＰ  Ｄｅｖｉｃｅ  Ｔｙｐｅ」または「ＵＰｎＰ  Ｓｅｒｖｉｃｅ  Ｔｙｐｅ」、「ＤＬＮＡ  Ｄｅｖｉｃｅ  Ｃｌａｓｓ」、「ＤＬＮＡ  Ｄｅｖｉｃｅ  Ｃａｐａｂｉｌｉｔｙ」および「ＤＬＮＡ  Ｍｅｄｉａ  Ｃｌａｓｓ」を無線機器１０Ａに返信する。
【００７３】
図１３には、無線機器１０Ａが、機器情報を特定し、特定した機器情報に合致する機器情報を有する無線機器１０Ｂを検索する例について示されている。まず、無線機器１０Ａは、「Ｓｅａｒｃｈ  Ｍｅｄｉａ  Ｓｅｒｖｅｒ」を無線機器１０Ｂ１〜１０Ｂ５の各々に対して行う。この「Ｓｅａｒｃｈ  Ｍｅｄｉａ  Ｓｅｒｖｅｒ」は、上記した例では、「ＵＰｎＰ  Ｄｅｖｉｃｅ  Ｔｙｐｅ」または「ＵＰｎＰ  Ｓｅｒｖｉｃｅ  Ｔｙｐｅ」として「Ｍｅｄｉａ  Ｓｅｒｖｅｒ」が設定されたＳｅｒｖｉｃｅ＿Ｄｉｓｃｏｖｅｒｙ＿Ｑｕｅｒｙフレームの送信により行われる。
【００７４】
無線機器１０Ａにより「Ｓｅａｒｃｈ  Ｍｅｄｉａ  Ｓｅｒｖｅｒ」が行われると、「ＵＰｎＰ  Ｄｅｖｉｃｅ  Ｔｙｐｅ」または「ＵＰｎＰ  Ｓｅｒｖｉｃｅ  Ｔｙｐｅ」が「Ｍｅｄｉａ  Ｓｅｒｖｅｒ」である無線機器１０Ｂ１〜１０Ｂ４は、機器情報を無線機器１０Ａに返信する。「ＵＰｎＰ  Ｄｅｖｉｃｅ  Ｔｙｐｅ」または「ＵＰｎＰ  Ｓｅｒｖｉｃｅ  Ｔｙｐｅ」が「Ｍｅｄｉａ  Ｓｅｒｖｅｒ」ではない無線機器１０Ｂ５は、機器情報を無線機器１０Ａに返信しない。
【００７５】
図１４に示した例では、まず、無線機器１０Ａは、「Ｓｅａｒｃｈ  ＋ＵＰ＋」を無線機器１０Ｂ１〜１０Ｂ５の各々に対して行う。この「Ｓｅａｒｃｈ  ＋ＵＰ＋」は、上記した例では、「ＤＬＮＡ  Ｄｅｖｉｃｅ  Ｃａｐａｂｉｌｉｔｙ」として「＋ＵＰ＋」が設定されたＳｅｒｖｉｃｅ＿Ｄｉｓｃｏｖｅｒｙ＿Ｑｕｅｒｙフレームの送信により行われる。
【００７６】
無線機器１０Ａにより「Ｓｅａｒｃｈ  ＋ＵＰ＋」が行われると、「ＤＬＮＡ  Ｄｅｖｉｃｅ  Ｃａｐａｂｉｌｉｔｙ」が「＋ＵＰ＋」である無線機器１０Ｂ１および１０Ｂ３は、機器情報を無線機器１０Ａに返信する。「ＤＬＮＡ  Ｄｅｖｉｃｅ  Ｃａｐａｂｉｌｉｔｙ」が「＋ＵＰ＋」ではない無線機器１０Ｂ２、１０Ｂ４および１０Ｂ５は、機器情報を無線機器１０Ａに返信しない。
【００７７】
（機器情報の表示例）
以上、本発明の実施形態による無線機器検出の段階における処理の詳細を説明した。続いて、図１５〜１８を参照し、機器情報の表示例について説明する。
【００７８】
図１５〜図１８は、無線機器１０Ｂ１〜１０Ｂ５の各々が図１０に示した機器情報を有している場合における機器情報の表示例を示す図である。無線機器１０Ａは、無線機器１０Ｂの機器情報を表示することができるが、例えば、機器情報ごとにその機器情報を有している無線機器１０Ｂを表示するようにしてもよい。例えば、無線機器１０Ａは、コンテンツデータの種類ごとにそのコンテンツデータの種類に対応可能な無線機器１０Ｂが設定された画面を生成し、生成した画面を表示することができる。
【００７９】
図１５には、「Ｉｍａｇｅ」に対応可能な無線機器１０Ｂ１、１０Ｂ３および１０Ｂ４が設定された画面１７１の表示例が示されている。また、図１６には、「Ａｕｄｉｏ」に対応可能な無線機器１０Ｂ２および１０Ｂ４が設定された画面１７２の表示例が示されている。図１５に示した画面１７１と図１６に示した画面１７２との間における切り替えは、例えば、ユーザによる切り替え操作により行うことが可能である。
【００８０】
図１７には、無線機器１０Ｂ１および１０Ｂ３に対してコンテンツデータをアップロードすることが可能である場合における無線機器１０Ｂ１および１０Ｂ３が設定された画面１７３の表示例が示されている。図１８には、無線機器１０Ｂ２および１０Ｂ３からコンテンツデータをダウンロードすることが可能である場合における無線機器１０Ｂ２および１０Ｂ３が設定された画面１７４の表示例が示されている。図１７に示した画面１７３と図１８に示した画面１７４との間における切り替えは、例えば、ユーザによる切り替え操作により行うことが可能である。
【００８１】
＜４．むすび＞
以上説明したように、本発明の実施形態による無線機器１０Ａは、周囲の無線機器１０Ｂの検出処理において周囲の無線機器１０Ｂから受信された機器情報を表示することができる。かかる構成により、無線機器１０Ａと無線機器１０Ｂとが不要に接続されてしまうことを防止できるので、消費電力を削減することが可能である。また、無線機器１０Ａと無線機器１０Ｂとが接続されるのを待たずして機器情報を表示することができるので、迅速に機器情報を表示することが可能になる。
【００８２】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８３】
例えば、本明細書の無線機器１０の処理における各ステップは、必ずしもシーケンス図として記載された順序に沿って時系列に処理する必要はない。例えば、無線機器１０の処理における各ステップは、シーケンス図として記載した順序と異なる順序で処理されても、並列的に処理されてもよい。
【００８４】
また、無線機器１０に内蔵されるＣＰＵ１０１、ＲＯＭ１０２およびＲＡＭ１０３などのハードウェアを、上述した無線機器１０の各構成と同等の機能を発揮させるためのコンピュータプログラムも作成可能である。また、該コンピュータプログラムを記憶させた記憶媒体も提供される。
【符号の説明】
【００８５】
１、１Ａ  無線通信システム
１０、１０Ａ、１０Ｂ  無線機器
１２０Ａ、１２０Ｂ  無線通信部
１３０Ａ、１３０Ｂ  記憶部
１４０Ａ、１４０Ｂ  通信制御部
１６０  操作部
１７０  表示部
【図１】
2012175452.tif 000003
【図２】
2012175452.tif 000004
【図３】
2012175452.tif 000005
【図４】
2012175452.tif 000006
【図５】
2012175452.tif 000007
【図６】
2012175452.tif 000008
【図７】
2012175452.tif 000009
【図８】
2012175452.tif 000010
【図９】
2012175452.tif 000011
【図１０】
2012175452.tif 000012
【図１１】
2012175452.tif 000013
【図１２】
2012175452.tif 000014
【図１３】
2012175452.tif 000015
【図１４】
2012175452.tif 000016
【図１５】
2012175452.tif 000017
【図１６】
2012175452.tif 000018
【図１７】
2012175452.tif 000019
【図１８】
2012175452.tif 000020